(57)【特許請求の範囲】
【請求項１】
セルラーネットワークで使用され、現在選択しているマクロセルからフェムトセルを再選択する移動無線通信装置であって、
前記マクロセルおよび再選択の候補となるフェムトセルと信号を送受信する受信／発信部と、
再選択のフェムトセルを決定するために、前記マクロセルの動作周波数と前記再選択の候補となるフェムトセルの動作周波数が同一か否かを判定し、これら２つのセルの動作周波数が同一である場合、複数の通信品質のうちいずれか１つの通信品質に対応する測定量を用い、これら２つのセルの動作周波数が異なる場合、前記複数の通信品質のうち予め決められた１つの通信品質に対応する測定量を用いるプロセッサと、
を有する移動無線通信装置。
【請求項２】
前記複数の通信品質は受信信号コード電力を含む、請求項１に記載の移動無線通信装置。
【請求項３】
前記複数の通信品質はＥｃ／Ｎｏ比を含む、請求項１に記載の移動無線通信装置。
【請求項４】
前記複数の通信品質がＥｃ／Ｎｏ比および受信信号コード電力を含み、
前記複数の通信品質のうち予め決められた１つの通信品質が前記受信信号コード電力である、請求項１〜３のいずれか１項に記載の移動無線通信装置。
【請求項５】
前記プロセッサは、前記複数の通信品質に対応する複数の測定量のうちの１つを、前記マクロセルと前記再選択の候補となるフェムトセルのそれぞれの動作周波数の情報を含むそれぞれの信号の受信に続いて用いる、請求項１から４のいずれか１項に記載の移動無線通信装置。
【請求項６】
前記セルラーネットワークを介して行われるシグナリングは情報ブロックまたは情報要素を含む、請求項５に記載の移動無線通信装置。
【請求項７】
セルラーネットワークで使用され、現在選択しているマクロセルからフェムトセルを再選択する移動無線通信装置によるセル再選択方法であって、
前記移動無線通信装置が前記マクロセルおよび再選択の候補となるフェムトセルと信号を送受信し、
前記移動無線通信装置が、再選択のフェムトセルを決定するために、前記マクロセルの動作周波数と前記再選択の候補となるフェムトセルの動作周波数が同一か否かを判定し、これら２つのセルの動作周波数が同一である場合、複数の通信品質のうちいずれか１つの通信品質に対応する測定量を用い、これら２つのセルの動作周波数が異なる場合、前記複数の通信品質のうち予め決められた１つの通信品質に対応する測定量を用いる、セル再選択方法。
【請求項８】
前記複数の通信品質は受信信号コード電力を含む、請求項７に記載のセル再選択方法。
【請求項９】
前記複数の通信品質はＥｃ／Ｎｏ比を含む、請求項７に記載のセル再選択方法。
【請求項１０】
前記複数の通信品質がＥｃ／Ｎｏ比および受信信号コード電力を含み、
前記複数の通信品質のうち予め決められた１つの通信品質が前記受信信号コード電力である、請求項７から９のいずれか１項に記載のセル再選択方法。
【請求項１１】
前記移動無線通信装置は、前記複数の通信品質に対応する複数の測定量のうちの１つを、前記マクロセルと前記再選択の候補となるフェムトセルのそれぞれの動作周波数の情報を含むそれぞれの信号の受信に続いて用いる、請求項７から１０のいずれか１項に記載のセル再選択方法。
【請求項１２】
前記セルラーネットワークを介して行われるシグナリングは情報ブロックまたは情報要素を含む、請求項１１に記載のセル再選択方法。
【請求項１３】
セルラーネットワーク内での移動無線通信装置内の通信のための、および該移動無線通信装置に現在選択しているマクロセルからフェムトセルを再選択させるためのセルラー通信ネットワーク装置であって、
前記移動無線通信装置が再選択のフェムトセルを決定する際に、前記マクロセルの動作周波数と再選択の候補となるフェムトセルの動作周波数が同一か否かを判定させ、これら２つのセルの動作周波数が同一である場合、複数の通信品質のうちいずれか１つの通信品質に対応する測定量を用いさせ、これら２つのセルの動作周波数が異なる場合、前記複数の通信品質のうち予め決められた１つの通信品質に対応する測定量を用いさせる制御シグナリングを前記移動無線通信装置に提供する、セルラー通信ネットワーク装置。
【請求項１４】
前記複数の通信品質は受信信号コード電力を含む、請求項１３に記載のセルラー通信ネットワーク装置。
【請求項１５】
前記複数の通信品質はＥｃ／Ｎｏ比を含む、請求項１３に記載のセルラー通信ネットワーク装置。
【請求項１６】
前記複数の通信品質がＥｃ／Ｎｏ比および受信信号コード電力を含み、
前記複数の通信品質のうち予め決められた１つの通信品質が前記受信信号コード電力である、請求１３から１５のいずれか１項に記載のセルラー通信ネットワーク装置。
【請求項１７】
前記移動無線通信装置に対して、前記複数の通信品質に対応する複数の測定量のうちの１つを、前記マクロセルと前記再選択の候補となるフェムトセルのそれぞれの動作周波数の情報を含むそれぞれの信号の受信に続いて用いさせる、請求項１３から１６のいずれか１項に記載のセルラー通信ネットワーク装置。
【請求項１８】
前記制御シグナリングは情報ブロックまたは情報要素を含む、請求項１７に記載のセルラー通信ネットワーク装置。
【発明の詳細な説明】
【技術分野】
【０００１】
本発明はセルラー通信ネットワークに関し、およびセル再選択を行う手順および関連する装置に関する。特に、本発明は、限定されるものではないが、フェムトセルへの可能な再選択に関する。
【背景技術】
【０００２】
セルラーネットワーク内で動作する移動無線通信装置であるユーザ装置（ＵＥ：Ｕｓｅｒ  Ｅｑｕｉｐｍｅｎｔ）のセル再選択は、特に負荷管理およびサービスの継続性に関して多くの利点をユーザと通信事業者の両方に提供する重要な能力を含んでいる。
【０００３】
したがって、効率的で、信頼性があり、かつ正確なセル再選択を行うことは、複数の候補となる隣接セルが利用可能である限り重要と思われる。
【０００４】
現在の再選択手順は測定量を用いた測定技術を含んでいるが、最適な隣接セルへの再選択を制限するように、ことによると該再選択を阻止するように働く欠点を有している。
【０００５】
再選択の候補となる隣接セルがフェムトセルを含んでいる場合、正確で効率的な再選択手順に対する要件は特に厳しくなる。
【０００６】
上記説明から理解できるように、フェムトセルは低出力の小さなローカル基地局によって規定され、通常、例えば、居住環境、マクロセルの通信範囲が利用可能でない場所のような不感帯、ＷｉＦｉタイプのホットスポット、およびさらに小中規模の企業環境内のローカル放送の通信範囲を提供するのに用いられる。
【０００７】
例えば、３Ｇマクロセルが２ＧＨｚ〜３ＧＨｚの範囲の高周波で動作する場合、該マクロセルはビルディング内で不十分な通信範囲／信号強度を与えることが理解されよう。そのようなより高い周波数での不十分な壁貫通およびより高い吸収特性が、このようにして性能を制限している。そのような不十分な「インビルディング（ｉｎ−ｂｕｉｌｄｉｎｇ）」性能は、制限された通信範囲または全く通信範囲が利用できない小さな領域をマクロセル通信範囲内に生じる。
【０００８】
したがって、フェムトセルの提供は、そのようなインビルディング環境がマクロセル環境内に規定できるギャップを効果的に埋めるという点で有利なことが理解できる。
【０００９】
フェムトセルを用いることから生じるさらなる利点は、マクロセルインフラストラクチャーの負荷を効果的に軽減することによって、該フェムトセルがマクロセル環境内の総合的性能を支援できることである。したがって、フェムトセルの使用は、マクロセルの能力が向上するという潜在的利益も提供するが一方、不十分な通信範囲の問題に対処する仕組み、およびＤＳＬブロードバンドサービスと携帯電話サービスのようなバンドルされたサービスを即座に商業的に提供する仕組みを提供する。
【００１０】
フェムトセルは、国内の通信範囲も改善するが一方、よりコスト効率の良いモバイルの音声呼およびデータ呼を行うことができる限りエンドユーザにも魅力的に思われる。
【００１１】
したがって、例えば不十分な通信範囲環境のためにフェムトセルへの再選択は魅力的な提案であり、それで、そのようなセルは、次にそのような再選択手順中複数の他の隣接セル、フェムトセルまたはマクロセルの両方と競合する。
【００１２】
展開に関しては、そのようなフェムトセルは、例えば１つまたは２つ以上の隣接マクロセルと同一または異なる搬送周波数でも種々の異なる運用特性で動作できることが理解されよう。
【発明の概要】
【００１３】
本発明の典型的な目的は、既知のそのような再選択手順および装置よりも優れた利点を持つ再選択手順および関連装置を提供することである。
【００１４】
本発明の第１の態様によれば、セルラーネットワークで使用され、現在選択しているマクロセルからフェムトセルを再選択する移動無線通信装置が提供され、該装置は、マクロセルおよび再選択の候補となるフェムトセルと信号を送受信する受信／発信部と、再選択のフェムトセルを決定するために、マクロセルの動作周波数と再選択の候補となるフェムトセルの動作周波数が同一か否かを判定し、これら２つのセルの動作周波数が同一である場合、複数の通信品質のうちいずれか１つの通信品質に対応する測定量を用い、これら２つのセルの動作周波数が異なる場合、複数の通信品質のうち予め決められた１つの通信品質に対応する測定量を用いるプロセッサと、を有する。
【００１５】
本発明の他の態様によれば、セルラーネットワークで使用され、現在選択しているマクロセルからフェムトセルを再選択する移動無線通信装置によるセル再選択方法が提供され、該セル再選択方法は、移動無線通信装置がマクロセルおよび再選択の候補となるフェムトセルと信号を送受信し、移動無線通信装置が、再選択のフェムトセルを決定するために、マクロセルの動作周波数と再選択の候補となるフェムトセルの動作周波数が同一か否かを判定し、これら２つのセルの動作周波数が同一である場合、複数の通信品質のうちいずれか１つの通信品質に対応する測定量を用い、これら２つのセルの動作周波数が異なる場合、複数の通信品質のうち予め決められた１つの通信品質に対応する測定量を用いるものである。
【００１６】
本発明のさらなる他の態様によれば、セルラーネットワーク内での移動無線通信装置内の通信のための、および移動無線通信装置に現在選択しているマクロセルからフェムトセルを再選択させるためのセルラー通信ネットワーク装置が提供され、該ネットワーク装置は、移動無線通信装置が再選択のフェムトセルを決定する際に、マクロセルの動作周波数と再選択の候補となるフェムトセルの動作周波数が同一か否かを判定させ、これら２つのセルの動作周波数が同一である場合、複数の通信品質のうちいずれか１つの通信品質に対応する測定量を用いさせ、これら２つのセルの動作周波数が異なる場合、複数の通信品質のうち予め決められた１つの通信品質に対応する測定量を用いさせる制御シグナリングを移動無線通信装置に提供する。
【００１７】
本発明は、セルラーネットワークにおける隣接セルへの移動無線通信装置のセル再選択用のシグナリングメッセージを提供することもでき、該メッセージは、隣接セルの特性を考慮した再選択手順の一部として測定量の使用を開始する移動無線通信装置への配信用に構成され、該シグナリングメッセージは各異なる特性に対して別々の個別の部分を含む。
【図面の簡単な説明】
【００１８】
【図１】本発明に従って使用されるフェムトセルアーキテクチャの概略図
【図２】現在の技術で知られているようなセル再選択手順に関連したフローチャート
【図３】本発明の実施形態によるセル再選択手順に関連したフローチャート
【図４】現在の技術によるシグナリングメッセージング内の情報要素の図
【図５】類似のシグナリングだが本発明の実施形態に従って生じるシグナリング図
【図６】本発明の実施形態による動作用に構成された移動無線通信装置の概略図
【発明を実施するための形態】
【００１９】
上記説明から理解できるように、本発明の実施形態に関する以下の説明は、特に３Ｇマクロセルからフェムトセルへのセル再選択の可能性に関連している。しかしながら、本発明はそのような再選択手順にこのように限定されることを理解すべきであろう。
【００２０】
しかしながら、発明に関連したさらなる背景情報として、再選択目的のセルの運用特性が例えば周波数を含み、ＵＥがマクロセル内にある場合、該ＵＥは、現在のサービスしているマクロセルの品質が劣化したときに隣接セルの測定を行うように通常構成される。隣接セルは、サービスしているマクロセルと同一または異なる周波数で動作することができる。
【００２１】
通常、ＵＥが用いることができる２種類の測定量があり、該測定量の各々はネットワークによって通常開始され、ネットワークによって２種類の測定量のどちらか１つを測定するように通常要求される。
【００２２】
第１の測定量は受信信号コード電力、ＲＳＣＰ（Ｒｅｃｅｉｖｅｄ  Ｓｉｇｎａｌ  Ｃｏｄｅ  Ｐｏｗｅｒ）である。
【００２３】
第２の測定量はＥｃ／Ｎｏ比を含むことができる。
【００２４】
Ｅｃ／Ｎｏ比は、受信機内で、および受信機によって規定された帯域幅内で生成された熱雑音および雑音を含んだ受信広帯域電力として定義される受信信号強度インジケータ（ＲＳＳＩ）の値から導き出される。
【００２５】
上記説明から理解できるように、ＲＳＣＰ値は特定コード（すなわちスクランブリングコード）の受信電力を含み、セルの主要なＣＰＩＣＨについて測定される。
【００２６】
したがって、Ｅｃ／Ｎｏ比は、ＲＳＣＰ／キャリアーＲＳＳＩとして定義することができる。
【００２７】
上で説明したように、ＵＥは、選択が試みられる可能性のあるすべての隣接セルに関して、該すべての隣接セルに対するＲＳＣＰまたはＥｃ／Ｎｏ比のいずれかを含んだ依頼された測定量を測定するように要求される。
【００２８】
現在知られているように、ネットワーク／セルは、ＵＥが異なる特性を持ったセルに対する異なる測定量に基づいて測定を行うようには依頼できない。すなわち、ネットワーク／セルは、ＵＥに、周波数内セル（すなわち同一周波数で動作するセル間）のＥｃ／Ｎｏのような１つの測定量と、周波数間セル測定量（すなわち異なる周波数に従って動作するセルの）、例えばＲＳＣＰのような他の測定量とを測定するように単に依頼するのみである。
【００２９】
なお、１つの測定量だけが用いられるので、そのような既知の現在の動作には不都合な制限があり、選択された該１つの測定量は、ある場合には最適な選択にならないことが理解されよう。したがって、潜在的に魅力的な／好適なセル再選択手順が特定されない可能性がある。
【００３０】
このことを以下にさらに説明する。
【００３１】
例えば、フェムトセルがマクロセルと同一周波数で動作している場合、再選択の候補セルとして、ＵＥがフェムトセルを考えることははるかに容易で可能性のあることである。なお、望ましいセル再選択手順を起動することは、用いられる測定量がＥｃ／ＮｏのＲＳＣＰかどうかに関係なく容易にできることが理解されよう。すなわち、ＵＥがビルディングの壁の内側に入ると、フェムトセルが比較によってセル再選択のよい候補として容易に識別可能になるように、マクロセル信号の高い吸収を考慮するとＲＳＣＰの顕著な減少がある。
【００３２】
フェムトセルおよびサービングマクロセルがいずれも同一周波数で動作している限り、それぞれのＲＳＳＩ値は、測定量がＥｃ／Ｎｏ比の場合、ＲＳＳＩ値は上がるが一方ＲＳＣＰ値は下がるので、Ｅｃ／Ｎｏ比がマクロセルに対して同様に低くなるように、マクロセルと同一周波数で動作するフェムトセルによって提供される干渉により高い値のままである。
【００３３】
したがって、測定量がＲＳＣＰまたはＥｃ／Ｎｏ比を含むかどうかに関係なく、マクロセルと比べて魅力的なフェムトセルを容易に識別することができる。
【００３４】
しかしながら、フェムトセルがマクロセルの搬送周波数とは異なる搬送周波数で動作するように構成されている場合、セル再選択の精度は上で述べたシナリオとは著しく異なる。
【００３５】
測定量がＲＳＣＰを含む場合、フェムトセルが再選択目的の魅力的な候補セルとして容易には識別できないように、マクロセルからの信号強度が低下してしまっていることがさらに容易に認識されよう。
【００３６】
しかしながら、用いられる量の測定がＥｃ／Ｎｏである場合、マクロセルとフェムトセルとの間の違いを容易に特定することができないので、ＵＥがフェムトセルへのセル再選択手順を起動することは難しくなる。
【００３７】
ＲＳＣＰの値は下がるが一方、異なる動作周波数を考えると、全体的なＥｃ／Ｎｏ比がほぼ同じ比のままであるので、マクロセルがフェムトセルと同じくらい潜在的に魅力的なままであるように、サービングマクロセルのＲＳＳＩの値は同様に下がる（サービングマクロセルが同一周波数で動作していないので該値がフェムトセルによって上げられないので）ことが理解されよう。
【００３８】
したがって、上で説明した利点にもかかわらず、フェムトセルへの再選択が望ましいが、これは測定量としてＥｃ／Ｎｏを使用することによって必ずしも達成されない。
【００３９】
上記説明から理解できるように、および特定の図示された本発明の実施形態に関して、この実施形態は、ＵＥによる周波数内および周波数間隣接セル測定のために、およびマクロセルからフェムトセルへの再選択を問題ない方法で達成できる範囲を広げるために、異なる測定量の使用を好適に提案する。
【００４０】
ここで図１に移り、フェムトセル１２が事業者のコアネットワーク１４に係る動作に提供される一般的なフェムトセルアーキテクチャ１０が示されている。
【００４１】
フェムトセルは、ここに図示された実施形態では、ラップトップ機器１８、および携帯電話ハンドセットを有するＵＥ２０（この実施形態では）への無線接続の接続を可能にするワイヤレスアクセスポイント１６を用いる。
【００４２】
標準の３ＧＰＰブロードバンドインターフェース２２がフェムトセルゲートウエイ２４への接続に提供され、該フェムトセルゲートウエイ２４もまた、３ＧＰＰ標準インターフェース２６を介してＭＳＳ回路切り替え呼２８およびＧＳＮパケット呼３０への接続を提供する。
【００４３】
図示のように、ＶＡＳ３２、ホーム位置レジスタ／ホーム加入者サーバ３４、ＰＳＴＮ３６、および携帯電話ＰＤＮ３８へのさらなる接続が、呼ネットワーク内で行われる。
【００４４】
ここで図２に移り、現在の技術によるセル再選択手順を示したフローチャートが提供される。
【００４５】
手順は、所望の測定量がシステム情報内に規定されているように選択されるステップ４０で始まる。
【００４６】
特定の隣接セルがステップ４２で選択され、測定量がステップ４４で適用される。次に、選択されたセルが隣接セルのリストの最後のセルであったかどうかについてステップ４６で判定され、最後のセルでなかった場合、手順は４８を介してステップ４２に戻り、次の隣接セルを選択する。
【００４７】
しかしながら、ステップ４６で、可能な複数の隣接セルの最後のセルが測定されたと判定された場合、手順は５０を介してステップ５２でその結論へと続く。
【００４８】
したがって、そのような測定量が各セル特性に対して確かに最適である可能性があるかどうかに関係なく、測定量は通常すべての隣接セルに適用される。
【００４９】
しかしながら、ここで図３に移り、本発明の実施形態に関連したフローチャートが提供される。
【００５０】
ここで、セルの形態（すなわち当該セルの特性）についての判定が、すなわち例えばセルが現在のサービングマクロセルと同一周波数で動作している可能性があるかどうかが、ステップ５４に示されている。
【００５１】
ステップ５４で、セルが同一周波数で動作していると判定された場合、手順は、５８を介して、周波数内セル測定値の規定された適切な測定量が選択され次にステップ６４で適用されるステップ６２に続く。
【００５２】
図２の手順のように、次に、さらなる複数の隣接セルが測定に利用可能かどうかが判定され、隣接セルが利用可能な場合、手順は、６４を介して、セルの形態が再度決定されるステップ５４に戻る。
【００５３】
しかしながら、最初に、ステップ５４で、それぞれの周波数が異なると判定された場合、手順は、５６を介して、周波数間セル測定値の規定された測定量が選択され次にステップ６４で適用されるステップ６０に続く。
【００５４】
再度、ステップ６０で残りのセルが隣接セルに存在するかどうかが判定され、存在している場合、手順は６８を介してステップ５４に再度戻る。
【００５５】
しかしながら、両方の測定値が上のように推定されている間、これ以上のセルが測定用に残っていないとステップ６６で判定された場合、手順は７０を介してステップ７２でその終了へと続く。
【００５６】
したがって、この実施形態では、および各選択に対する候補セルの性質の決定によって、ＵＥ内で用いられる実測値をセル特性の識別に応答して容易に決定することができ、そのため、はるかに応答がよく効率的な方法で、適切な候補となるフェムトセルの容易な識別が現在の技術に従って達成可能になる。
【００５７】
ここで、現在の技術のシグナリング内で現在用いられているような情報要素の図である図４を参照する。
【００５８】
この情報要素７４は、図２に関連して説明したように、セル特性および利用可能かもしれない最も関係のある測定量に関係なく、いくぶん不都合に用いられる合成要素を含む。
【００５９】
ここで、比較として図５に移り、本発明のシグナリングに従って生じる情報要素の類似した図が提供される。
【００６０】
ここで、情報要素は、それぞれのセル特性および関連する測定量を考慮するように構成された２つの個別の部分７６と７８とに分割されていることが理解されよう。
【００６１】
制御情報は、ＵＥ内で適切な測定およびセル再選択手順を開始するように、関連するシグナリングで好適に用いることができる。
【００６２】
最後に図６に移り、本発明による動作用に構成されたＵＥ８０の概略図が提供される。
【００６３】
ＵＥ８０は、標準のケーシング８２と、受信／発信部８６に接続されたアンテナ８４とを有し、該受信／発信部８６は同様に８８でプロセッサに動作可能に接続され、該プロセッサはハンドセット内で機能するメモリ９０に接続されている。
【００６４】
プロセッサ８８はそれぞれのさらなる機能１００、１０２を備えており、該２つの機能の各々はそれぞれの測定量に応じたセル選択測定値を提供し、該２つの機能の各々は、再選択の各候補セルに対して決定されたようにおよび上で説明した手順に従って決定されたように、セル特性に従って選択し配置することができる。
【００６５】
上記説明から理解できるように、本発明は、種々の運用特性を提供することができる限り好適である。
【００６６】
該動作特性は、限定されるものではないが、周波数内セルおよび周波数間セルのような異なる種類の隣接セルに対して異なる測定量を規定することを含む。
【００６７】
上記修正を用いて、無線ネットワークは隣接セルの２つの測定量を規定することができる。
【００６８】
無線ネットワークは、各測定量を次の形態のセルすなわち周波数内セルおよび周波数間セルの１つに関連付けることができる。
【００６９】
上記情報から、携帯電話は、セルの形態に基づいて測定量を隣接セルリストのどのセルに適用すべきかを単独で判断する。
【００７０】
携帯電話は１つのセル当たり１つの測定量を適用するが、１群の隣接セルに２つの異なる測定量を適用することができるであろう。
【００７１】
さらに、ＵＥ／携帯電話の呼再選択手順への変更は、２つの異なる測定量すなわち周波数内セルに対して１つの測定量と周波数間隣接セルに対して他の測定量、を適用して容易に行うことができる。
【００７２】
本発明の第１の態様によれば、セルラーネットワークで使用され、必要に応じて隣接セルを再選択するように構成された移動無線通信装置が提供され、該装置はセル再選択手順の一部として複数の測定品質の１つを用いるように構成され、該用いられる測定量は、上記装置が複数の異なる隣接セルに対して複数の異なる測定量を用いることができるように、前記隣接セルの特性に応答して選択される。
【００７３】
上記説明から理解できるように、本発明は、再選択手順がここで単一の測定量に限定されない限り利点がある。これに基づいて、より正確で、信頼性があり、効率的な再選択手順であって、フェムトセルまたはそうでないセルのなかで望ましいセルを選択する可能性を好適に向上させる再選択手順を行うことができる。
【００７４】
好適に、装置は、フェムトセルを有する隣接セルを再選択するように構成することができる。
【００７５】
測定量は受信信号コード電力を含むことができる。
【００７６】
加えて、前述の測定量はＥｃ／Ｎｏ比を含むことができる。さらに、前記特性は、動作周波数と、特に隣接セルが現行セルと同一周波数で動作しているかどうかということを含むことができる。
【００７７】
さらに、前記複数の測定量の１つがそれぞれの特性のそれぞれの信号の受信に続いて用いられるように、装置を構成することができる。好適に、前記シグナリングは情報ブロックまたは情報要素を含むことができる。
【００７８】
本発明の他の態様によれば、セルラーネットワークで使用され、隣接セルへの再選択を制御する複数の測定量の１つを開始するステップを含んだ、セル再選択方法が提供され、該用いられる測定量は、複数の異なる隣接セルに対して複数の異なる測定量を使用することができるように、前記隣接セルの特性に応答して選択される。
【００７９】
上で説明したように、装置は、フェムトセルを有する隣接セルを再選択するように構成することができる。
【００８０】
再び、測定量は受信信号コード電力を含むことができる。
【００８１】
また、前述の測定量はＥｃ／Ｎｏ比を含むことができる。さらに、前記特性は、動作周波数と、特に隣接セルが現行セルと同一周波数で動作しているかどうかということを含むことができる。
【００８２】
前記複数の測定量の１つがそれぞれの特性のそれぞれの信号の受信に続いて用いられるように、装置を構成することもできる。
【００８３】
好適に、前記シグナリングは情報ブロックまたは情報要素を含むことができる。
【００８４】
本発明のさらなる他の態様によれば、ネットワーク内での移動無線通信装置内の通信用に、および必要に応じて隣接セルへの移動無線通信装置の再選択用に構成された、セルラー通信ネットワーク装置が提供され、該ネットワーク装置は、移動無線通信装置に制御シグナリングを提供して複数の測定量のどれがセル再選択手順の一部として用いられるかを決定するように構成され、前記移動無線通信装置が複数の異なる隣接セルに対して複数の異なる測定量を用いることができるように前記隣接セルの特性を考慮する。
【００８５】
好適に、装置は、フェムトセルを有する隣接セルを再選択するように構成することができる。
【００８６】
測定量は受信信号コード電力を含むことができる。
【００８７】
加えて、前述の測定量はＥｃ／Ｎｏ比を含むことができる。さらに、前記特性は、動作周波数、および特に隣接セルが現行セルと同一周波数で動作しているかどうかを含むことができる。
【００８８】
さらに、前記複数の測定量の１つがそれぞれの特性のそれぞれの信号の受信に続いて用いられるように、装置を構成することができる。
【００８９】
上述のごとく、前記シグナリングは情報ブロックまたは情報要素を含むことができる。
【００９０】
本発明は、セルラーネットワークにおける隣接セルへの移動無線通信装置のセル再選択用のシグナリングメッセージを提供することもでき、該メッセージは、前記隣接セルの特性を考慮した再選択手順の一部として測定量の使用を開始する移動無線通信装置への配信用に構成され、該シグナリングメッセージは各異なる特性に対して別々の個別の部分を含む。
【００９１】
上記説明から理解できるように、シグナリングメッセージは情報ブロックまたは情報要素を含むことができる。
【００９２】
なお、本発明は、そのようなホームＮＯｏｄｅＢ／ＥＮｏｄｅＢ用のそのようなフェムトセルのホームゲートウエイソリューションのようなすべての３Ｇアクセスポイント構成に適用可能であることを理解すべきであろう。
【００９３】
本発明をその典型的な実施形態を参照して特に図示し説明したが、本発明はこの実施形態に限定されるものではない。特許請求の範囲によって定義されるような本発明の精神および範囲から逸脱することなく、形態および細部の種々の変更がそこでなされてもよいことが当業者には理解されるであろう。
【００９４】
本出願は、２００８年１０月２０日に出願された英国特許出願番号第０８１９１５５．３号に基づいており、該特許からの優先権の利益を主張し、その内容は参照により組み込まれている。
【図１】
0005527318.tif 000002
【図２】
0005527318.tif 000003
【図３】
0005527318.tif 000004
【図４】
0005527318.tif 000005
【図５】
0005527318.tif 000006
【図６】
0005527318.tif 000007